(57)【要約】【課題】高さの小型化が図れるとともに、半田を用いないでも回路基板に容易に接続することができる、構造の簡単な電子部品の取付構造及び回転式電子部品を提供する。【解決手段】取付台１２０上に回路基板１４０とこの回路基板１４０に電気的に接続する電子部品（揺動式電子部品）１とを設置してなる電子部品の取付構造である。電子部品１を設置する電子部品取付部８１と、電子部品取付部８１から屈曲して電子部品１から離れる方向に伸びる圧接接続部８５とを一体成形してなる基台８０を具備する。基台８０の圧接接続部８５と取付台１２０との間に回路基板１４０と電子部品１から引き出したフレキシブル回路基板１１の端子パターン部１５とを挟持することで回路基板１４０に設けた端子パターン１４１とフレキシブル回路基板１１に設けた端子パターン１９間を圧接接続する。【選択図】図１
2006179788.tif 000002
【特許請求の範囲】
【請求項１】
取付台上に回路基板とこの回路基板に電気的に接続する電子部品とを設置してなる電子部品の取付構造において、
前記電子部品を設置する電子部品取付部と、前記電子部品取付部から延伸して前記電子部品から離れる方向に伸びる圧接接続部とを一体成形してなる基台を具備し、
前記基台の圧接接続部と前記取付台との間に前記回路基板と前記電子部品から引き出したフレキシブル回路基板とを挟持することで前記回路基板に設けた端子パターンとフレキシブル回路基板に設けた端子パターン間を圧接接続することを特徴とする電子部品の取付構造。
【請求項２】
表面に機能パターン部と端子パターン部とを設けたフレキシブル回路基板と、前記フレキシブル回路基板の機能パターン部を設けた部分を取り付ける電子部品取付部を有する基台と、前記フレキシブル回路基板の機能パターン部を設けた部分の表面上に回動自在に取り付けられて機能パターン部の出力を変化する回転体とを具備する回転式電子部品において、
前記基台は、前記電子部品取付部から延伸して前記回転体から離れる方向に伸びて前記フレキシブル回路基板の端子パターン部を載置する圧接接続部を前記電子部品取付部と一体に成形して構成されていることを特徴とする回転式電子部品。
【請求項３】
前記基台の電子部品取付部に、前記回転体に取り付けられてこの回転体を中立位置に自動復帰させるコイルバネの両側の引出部を当接する一対の係止部を設けたことを特徴とする請求項２に記載の回転式電子部品。
【請求項４】
前記基台の電子部品取付部には前記フレキシブル回路基板の機能パターン部を貫通して突出する軸部を設け、この軸部に前記回転体を回動自在に軸支し、
一方前記回転体の前記軸部を挿入して突出する側の面には前記コイルバネを収納するコイルバネ収納部を設け、
さらに前記軸部には前記回転体及びコイルバネの軸部からの抜けを押える押え部材を取り付けたことを特徴とする請求項３に記載の回転式電子部品。
【請求項５】
前記フレキシブル回路基板の端子パターン部への他の回路基板の接続は、前記基台の圧接接続部の面上においてこの端子パターン部と前記他の回路基板とを重ね合わせて挟持・圧接することで行われることを特徴とする請求項２又は３又は４に記載の回転式電子部品。
【発明の詳細な説明】
【技術分野】
【０００１】
本発明は、電子部品の取付構造及び回転式電子部品に関するものである。
【背景技術】
【０００２】
従来、例えば回転式電子部品は、回転側の部材を回動することでその電気的出力を変化するように構成されている。図７はこの種従来の回転式電子部品（揺動式電子部品）１８０を示す図である。同図（ａ）に示すように回転式電子部品１８０は、金属板製の基台１９０上にフレキシブル回路基板２００を載せ、その上に中立点復帰用バネ２３０を取り付けたモールド樹脂製の回転体２１０を回動自在に取り付けて構成されている。ここで基台１９０の両側辺の下部の対向する位置には紙面手前側に折り曲げられて突出する係止片１９１，１９３が設けられ、また基台１９０のほぼ中央には紙面手前側に突出する円筒状の軸部１９５が設けられている。フレキシブル回路基板２００はその表面の回転体２１０によって隠れている部分に、円弧状のスイッチパターン（又は抵抗体パターン）を印刷し、その下端部に金属端子板製の端子２１１を突出するように取りつけて構成されている。
【０００３】
回転体２１０はモールド樹脂製であり、略円板状の基部２１２の外周側面からレバー２１３を突出し、また基部２１２の中央を前記軸部１９５によって回動自在に軸支し、その周囲に突出部２２３を設け、さらにその周囲にリング状に凹むバネ収納部２１７を設け、バネ収納部２１７の下部には切り欠き２１８を設けてその両側を当接部２１９，２２１として構成されている。なお基部２１２のフレキシブル回路基板２００側の面には図示しない摺動子が取り付けられており、フレキシブル回路基板２００のスイッチパターン（又は抵抗体パターン）に当接している。中立点復帰用バネ２３０はねじりコイルバネであり、リング状に巻いたコイル部２３１をバネ収納部２１７内に収納し、両端の引出部２３３，２３５をそれぞれ回転体２１０の当接部２１９，２２１と、基台１９０の係止片１９１，１９３の両者に係止することで回転体２１０を中立点に位置している。
【０００４】
そしてこの回転式電子部品１８０は各金属板製の端子２１１の先端を、図示しない硬質の回路基板上に形成した端子パターンの部分に設けた穴に挿入し、半田付けによってこの端子パターンと端子２１１とを接続することで、回転式電子部品１８０を回路基板に電気的・機械的に固定する。
【０００５】
そして例えば図７（ｂ）に示すようにレバー２１３を矢印ａ方向に押圧すると回転体２１０は時計回りに揺動し、図示しない摺動子がスイッチパターン（又は抵抗体パターン）上を摺動することで各端子２１１間の電気的出力が変化する。このとき中立点復帰用バネ２３０の左側の引出部２３３は係止片１９１に係止されたままであるが、右側の引出部２３５は当接部２２１に押圧されて引出部２３３側に移動し、このときコイル部２３１は絞られて強い弾発復帰力を生じ、従ってレバー２１３への押圧を解除すると回転体２１０は元の中立点位置に自動復帰する。
【０００６】
しかしながら上記従来の回転式電子部品１８０には以下のような問題点があった。
（１）この回転式電子部品１８０は、その下端から金属板製の端子２１１を突出しているので、この回転式電子部品１８０を図示しない回路基板上に取り付けた際の回転式電子部品１８０の回路基板からの高さが高くなり、この回転式電子部品１８０を搭載する電子機器の小型化が阻害されてしまう。
【０００７】
（２）端子２１１の図示しない回路基板への固定に半田を用いているので、半田に鉛が含まれている場合、環境上問題がある。
【特許文献１】特開２００２−１９８２０９号公報
【発明の開示】
【発明が解決しようとする課題】
【０００８】
本発明は上述の点に鑑みてなされたものでありその目的は、高さの小型化が図れるとともに、半田を用いないでも回路基板に容易に接続することができる、構造の簡単な電子部品の取付構造及び回転式電子部品を提供することにある。
【課題を解決するための手段】
【０００９】
本願請求項１に記載の発明は、取付台上に回路基板とこの回路基板に電気的に接続する電子部品とを設置してなる電子部品の取付構造において、前記電子部品を設置する電子部品取付部と、前記電子部品取付部から延伸して前記電子部品から離れる方向に伸びる圧接接続部とを一体成形してなる基台を具備し、前記基台の圧接接続部と前記取付台との間に前記回路基板と前記電子部品から引き出したフレキシブル回路基板とを挟持することで前記回路基板に設けた端子パターンとフレキシブル回路基板に設けた端子パターン間を圧接接続することを特徴とする電子部品の取付構造にある。
【００１０】
本願請求項２に記載の発明は、表面に機能パターン部と端子パターン部とを設けたフレキシブル回路基板と、前記フレキシブル回路基板の機能パターン部を設けた部分を取り付ける電子部品取付部を有する基台と、前記フレキシブル回路基板の機能パターン部を設けた部分の表面上に回動自在に取り付けられて機能パターン部の出力を変化する回転体とを具備する回転式電子部品において、前記基台は、前記電子部品取付部から延伸して前記回転体から離れる方向に伸びて前記フレキシブル回路基板の端子パターン部を載置する圧接接続部を前記電子部品取付部と一体に成形して構成されていることを特徴とする回転式電子部品にある。
【００１１】
本願請求項３に記載の発明は、前記基台の電子部品取付部に、前記回転体に取り付けられてこの回転体を中立位置に自動復帰させるコイルバネの両側の引出部を当接する一対の係止部を設けたことを特徴とする請求項２に記載の回転式電子部品にある。
【００１２】
本願請求項４に記載の発明は、前記基台の電子部品取付部には前記フレキシブル回路基板の機能パターン部を貫通して突出する軸部を設け、この軸部に前記回転体を回動自在に軸支し、一方前記回転体の前記軸部を挿入して突出する側の面には前記コイルバネを収納するコイルバネ収納部を設け、さらに前記軸部には前記回転体及びコイルバネの軸部からの抜けを押える押え部材を取り付けたことを特徴とする請求項３に記載の回転式電子部品にある。
【００１３】
本願請求項５に記載の発明は、前記フレキシブル回路基板の端子パターン部への他の回路基板の接続は、前記基台の圧接接続部の面上においてこの端子パターン部と前記他の回路基板とを重ね合わせて挟持・圧接することで行われることを特徴とする請求項２又は３又は４に記載の回転式電子部品にある。
【発明の効果】
【００１４】
請求項１に記載の発明によれば、一つの成形品からなる基台に、電子部品の取付台への取り付け機能と、電子部品と回路基板間の電気的接続機能とを併せ持たせたので、電子部品の取付台への取り付けと、電子部品と回路基板との電気的接続とを、少ない部品で容易且つ確実に達成できる。また基台の圧接接続部と取付台との間に回路基板と電子部品から引き出したフレキシブル回路基板とを挟持することで回路基板に設けた端子パターンとフレキシブル回路基板に設けた端子パターン間を圧接接続するように構成したので、両者の接続に半田は不要となり、環境上良好になる。また電子部品から引き出したフレキシブル回路基板の端子パターンと回路基板の端子パターンとの電気的接続が電子部品の後方（電子部品から離れた位置）で行え、これによって電子部品の高さを低くすることができ、この電子部品を搭載した機器の小型化、特に高さの小型化が図れる。
【００１５】
請求項２に記載の発明によれば、電子部品の高さを低くすることができ、この電子部品を搭載した機器の小型化、特に高さの小型化が図れる。また電子部品取付部と圧接接続部とを一体成形によって構成したので、部品点数を少なくでき、また組み立ても容易になる。
【００１６】
請求項３に記載の発明によれば、基台に回転体の中立位置自動復帰用のコイルばねの両側の引出部をそれぞれ当接する機能を併せ持たせることができる。
【００１７】
請求項４に記載の発明によれば、基台の電子部品取付部にフレキシブル回路基板の機能パターン部を貫通して突出する軸部を設け、この軸部に回転体を回動自在に軸支したので、機能パターン部上に回転体を回動自在に軸支するための部材を別途取り付ける必要はなく、部品点数の削減と構造の簡素化が図れる。また回転体にコイルバネを収納するコイルバネ収納部を設け、軸部に回転体及びコイルバネの軸部からの抜けを押える押え部材を取り付けたので、回転体の軸部からの抜け防止と、コイルバネの回転体からの抜け防止とが押え部材によって同時に行え、部品点数を減少でき、且つその組み立てが容易になる。
【００１８】
請求項５に記載の発明によれば、フレキシブル回路基板の端子パターン部への他の回路基板の接続を圧接接続によって行ったので、両者の接続に半田は不要になり、環境上良好になる。
【発明を実施するための最良の形態】
【００１９】
以下、本発明の実施形態を図面に基づいて詳細に説明する。
図１は本発明を適用してなる電子部品である回転式電子部品（以下この実施形態では「揺動式電子部品」という）１の取付構造の側断面図である。同図に示すように揺動式電子部品１の取付構造は、揺動式電子部品１を設置する電子部品取付部８１と電子部品取付部８１から屈曲して前記揺動式電子部品１から離れる方向に伸びる圧接接続部８５とを一体成形してなる基台８０を具備し、前記基台８０の圧接接続部８５と取付台１２０との間に回路基板１４０と前記揺動式電子部品１から引き出したフレキシブル回路基板１１とを挟持することで前記回路基板１４０に設けた下記する端子パターン１４１とフレキシブル回路基板１１に設けた下記する端子パターン１９間を圧接接続した状態でこれら各部材を固定部材１５０を用いて取付台１２０に固定して構成されている。以下各構成部品について説明する。
【００２０】
図２は前記揺動式電子部品１の取付構造の分解斜視図である。同図において揺動式電子部品１は、可撓性の合成樹脂フイルムの表面に機能パターン部１３と端子パターン部１５とを設けたフレキシブル回路基板１１と、前記フレキシブル回路基板１１の機能パターン部１３を設けた部分を取り付ける電子部品取付部８１を有する基台８０と、前記フレキシブル回路基板１１の機能パターン部１３を設けた部分の表面上に回動自在に取り付けられて機能パターン部１３の出力を変化する回転体５０とを具備する。
【００２１】
ここで図３に示すように、フレキシブル回路基板１１の周囲と背面とにはモールド樹脂製の基台８０がインサート成形によって取り付けられている。フレキシブル回路基板１１は基台８０の電子部品取付部８１に保持される機能パターン部１３と、基台８０の電子部品取付部８１の下部から突出する端子パターン部１５とを具備しており、機能パターン部１３の表面には円弧状の摺接パターン１７が設けられ、端子パターン部１５には端子パターン１９が設けられ、摺接パターン１７と端子パターン１９間は接続パターン２１によって接続されている。なお摺接パターン１７はスイッチパターンであっても良いし、抵抗体パターンであっても良く、さらにそれら以外の機能を有するパターンであっても良い。端子パターン部１５の両側面には下記する固定部材１５０の取付片１５３を係合する凹状の係合部２３，２３が設けられている。フレキシブル回路基板１１の中央（回転体５０の回転中心軸部分）には小孔からなる貫通孔２５が設けられている（図１参照）。
【００２２】
基台８０は成形樹脂を略半円板状に成形してなる電子部品取付部８１と、電子部品取付部８１を略Ｌ字状に屈曲することで揺動式電子部品１（回転体５０）から離れる方向（後方）に伸びる圧接接続部８５とを一体成形して構成されている。電子部品取付部８１は、フレキシブル回路基板１１の機能パターン部１３の周囲と背面とを囲むように成形され、またその下部は水平方向に向かう直線状の基板折曲辺８２（図１参照）となっている。また電子部品取付部８１の上部中央にはストッパー用の係止部８３が設けられ、また基板折曲辺８２の両側には前方（回転体５０側）に向かって突出する取付部８４，８４が設けられている。取付部８４の上面は半径方向外側に向かって下降するように傾斜する面状の係止部８４ａとなっている。また電子部品取付部８１にはフレキシブル回路基板１１の機能パターン部１３に設けた貫通孔２５（図１参照）を貫通して突出する円柱状の軸部８７が設けられ、また軸部８７の先端には軸部８７よりもその外形寸法を小さくしてなる円筒状の取付部８９が突設されている。次に圧接接続部８５は平板状であって、その両側辺には下記する固定部材１５０の取付片１５３を係合する凹状の係合部８６，８６が設けられている。
【００２３】
回転体５０は、回転部材５１と摺動子６７とを具備して構成されている。そしてこの回転体５０には、弾発手段（以下この実施形態では「ねじりコイルバネ」という）７３が取り付けられ、さらに下記するように基部８０の軸部８７からの抜けが押え部材７９によって防止されている。回転部材５１は略円板状のモールド樹脂成形品であり、その中央に前記基台８０の軸部８７を回動自在に挿入する貫通孔５２を設け、その一方の面を摺動子取付面５３とし、他方の面に弾発手段収納部５５を設けている。弾発手段収納部５５は貫通孔５２の周囲を囲むリング形状の凹部によって構成されており、その半径方向外側に向けて一対の切り欠き状の引出部挿通部５８，５８が設けられている。また弾発手段収納部５５の中央は円筒状の突出部５９となっておりその内部に前記貫通孔５２が形成されている。引出部挿通部５８，５８の下側の面は当接部６０，６０となっている。また回転部材５１の上部からはつまみ取付部６１が突出している。弾発手段収納部５５は、下記するねじりコイルバネ７３のコイル部７５が収納される寸法に形成されている。回転部材５１の摺動子取付面５３には、図１に示すように下記する摺動子６７の取付部６９，６９に挿入される小突起状の固定部６３が突設されている。
【００２４】
図１に示す摺動子６７は弾性金属板を略リング状に形成して構成されており、その上下部分二ヶ所に穴からなる取付部６９，６９を設け、またその所定位置に摺接部７１を設けている。図２に示すねじりコイルバネ７３は線材をコイル状に巻き回したコイル部７５の両端から引出部７７，７７を引き出して構成されている。このねじりコイルバネ７３は両引出部７７，７７を上方向に移動することでコイル部７５の内径が小さくなって絞られる方向になるように巻き回されている。
【００２５】
押え部材７９は成形樹脂を円形の板状であって前記回転部材５１の弾発手段収納部５５を塞ぐ外形寸法に成形して構成されており、その中央に前記基台８０の取付部８９を挿入する円形の貫通孔からなる挿入部７９１を設け、また図１に示すようにその回転部材５１側の面にリング状に突出するバネ押え部７９３を設けている。バネ押え部７９３は前記回転部材５１の弾発手段収納部５５に対向してコイル部７５を押える位置に形成されている。
【００２６】
固定部材１５０は金属板製であり、前記基台８０の圧接接続部８５の上面をほぼ覆う矩形状の押え部１５１と、押え部１５１の両側辺から二本ずつ突出して下方向に屈曲される舌片状の取付片１５３とを具備して構成されている。各取付片１５３は前記圧接接続部８５の各係合部８６，８６に対向する位置に形成されている。
【００２７】
回路基板１４０は、可撓性を有する合成樹脂フイルム上に３つの端子パターン１４１を設け、各端子パターン１４１から引き出した引出パターン１４３をこの回路基板１４０の引出部１４５に導出している。なお回路基板１４０の引出部１４５の図示しない更に先の部分には図示しない他の各種回路が形成され、各種電子部品が搭載されている。また回路基板１４０の先端側の一辺には二つの凹状の係合部１４７が設けられ、また各端子パターン１４１を形成した部分よりも引出部１４５を引き出す側の部分にも二つの貫通孔からなる係合部１４７が設けられている。
【００２８】
取付台１２０はモールド樹脂を略矩形状に成形して構成されており、その前方側は電子部品設置部１２１、後方側は基板圧接部１２３となっている。基板圧接部１２３の略中央には矩形状で凹状の弾発手段収納部１２５が設けられ、また基板圧接部１２３の両側辺にはそれぞれ２つずつの凹状の係合部１２７が設けられている。また弾発手段収納部１２５内に収納される弾発手段１３０は弾性金属板製であり、略矩形状の基部１３１の長手方向の一側辺から三本の弾発片１３３を突出して上方向に折り曲げ、それぞれの先端に上方向に突出する弾発部１３５を形成して構成されている。
【００２９】
次に揺動式電子部品１の組み立て方法を説明すると、まず予め回転部材５１の基台８０に対向する摺動子取付面５３に摺動子６７を当接し、その際回転部材５１に設けた固定部６３（図１参照）を摺動子６７に設けた取付部６９，６９（図１参照）に挿入してその先端を熱カシメすることで固定する。次にこの回転部材５１を基台８０に取り付けたフレキシブル回路基板１１の機能パターン部１３の表面上に設置し、その際基台８０の軸部８７を回転部材５１の貫通孔５２に回動自在に挿入する。次に回転部材５１の弾発手段収納部５５内にねじりコイルバネ７３のコイル部７５を収納して両端の引出部７７，７７をそれぞれ回転部材５１の引出部挿通部５８，５８に挿入し、当接部６０，６０に弾接させ（このとき引出部７７の先端は引出部挿通部５８，５８からその外方に突出し、基台８０の係止部８４ａ上に弾接している）、その上から押え部材７９を被せて押え部材７９の挿入部７９１に基台８０の取付部８９を挿入し、その先端を熱カシメして回転体５０及びねじりコイルバネ７３の軸部８７からの抜けを押える。これによって揺動式電子部品１が完成する。このとき摺動子６７の摺接部７１は機能パターン部１３の摺接パターン１７上に当接している。
【００３０】
次に以上のようにして組み立てた揺動式電子部品１を取付台１２０上に取り付ける方法を説明する。まず図２において、取付台１２０の弾発手段収納部１２５内に弾発手段収納部１２５の開口面より弾発部１３５が所定寸法外側に突出するように弾発手段１３０を収納した上で、その上に端子パターン１４１を上向きとした回路基板１４０を載置する。次に基台８０に取り付けたフレキシブル回路基板１１の端子パターン部１５を図２に示すように基台８０の圧接接続部８５の下面側に折り曲げて、前記回路基板１４０上に載置する。そして前記圧接接続部８５の上面に固定部材１５０の押え部１５１を載置し、その際固定部材１５０の各取付片１５３を圧接接続部８５の各係合部８６，８６と端子パターン部１５の係合部２３，２３と回路基板１４０の各係合部１４７と取付台１２０の各係合部１２７とに係合し、各取付片１５３の先端を取付台１２０の裏面に折り曲げ、これによって揺動式電子部品１を固定した基台８０を取付台１２０に固定すると同時に、取付台１２０上に載置した回路基板１４０の三つの端子パターン１４１とフレキシブル回路基板１１の三つの端子パターン１９とを圧接接続部８５の下面と弾発手段１３０の三つの弾発部１３５とによってそれぞれ圧接接続する。つまり基台８０の圧接接続部８５と取付台１２０との間に回路基板１４０と揺動式電子部品１から引き出したフレキシブル回路基板１１とを挟持することで弾発手段収納部１２５の開口面から突出している弾発手段１３０の三つの弾発部１３５が前記所定寸法押し下げられることにより、その弾発力により回路基板１４０に設けた端子パターン１４１とフレキシブル回路基板１１に設けた端子パターン１９間を圧接接続する。即ち電子部品取付部８１に取り付けた揺動式電子部品１から引き出したフレキシブル回路基板１１と回路基板１４０との挟持を、電子部品取付部８１から屈曲して揺動式電子部品１から離れる方向に伸びて揺動式電子部品１の後方の位置にある圧接接続部８５で行っている。
【００３１】
図４は以上のようにして組み立てられた揺動式電子部品１の動作説明図（但し、押え部材７９の記載は省略）である。なおこの揺動式電子部品１のつまみ取付部６１にはつまみ１６０を取り付けている。そして回転体５０が中立位置にあるときは、ねじりコイルバネ７３の両引出部７７，７７は回転体５０の当接部６０，６０と基台８０の係止部３１，３１に弾接している。
【００３２】
そして例えばつまみ１６０を矢印Ａ方向に揺動すれば、回転体５０全体が矢印Ａ方向に揺動し、摺動子６７の摺接部７１がフレキシブル回路基板１１の摺接パターン１７上を摺動してその出力を変化する。その際ねじりコイルバネ７３の左側の引出部７７は元の位置に保持されたまま右側の引出部７７が当接部６０によって押し上げられて図４（ｂ）の状態となる。このときねじりコイルバネ７３のコイル部７５はそのターン数を増やす方向にねじられるためその外径は小さくなり、従ってコイル部７５の外周が弾発手段収納部５５の内周面に強く当接することはなく、そのねじれがスムーズ且つ確実に行える。そしてつまみ１６０の揺動を解除すれば、ねじりコイルバネ７３の弾発復帰力によって回転体５０は元の図４（ａ）の状態に自動復帰する。
【００３３】
そして上記揺動式電子部品１の取付構造によれば、図１に示すように、一つの成形品からなる基台８０に、揺動式電子部品１の取付台１２０への取り付け機能と、揺動式電子部品１と回路基板１４０間の電気的接続機能とを併せ持たせたので、これら両機能を少ない部品で容易且つ確実に達成できる。
【００３４】
更には基台８０の電子部品取付部８１から屈曲して回転体５０から離れる方向に伸びる圧接接続部８５上に載置したフレキシブル回路基板１１の端子パターン部１５に他の回路基板１４０を接続したので、揺動式電子部品１と回路基板１４０との電気的接続が揺動式電子部品１の後方で行え、これによって揺動式電子部品１の高さを低くすることができ、この揺動式電子部品１を搭載した機器の小型化、特に高さの小型化が図れる。
【００３５】
また上記揺動式電子部品１の取付構造によれば、基台８０の電子部品取付部８１にフレキシブル回路基板１１の機能パターン部１３を貫通して突出する軸部８７を設け、この軸部８７に回転体５０を回動自在に軸支したので、機能パターン部１３上に回転体５０を回動自在に取り付けるための部材を別途用意する必要はなく、部品点数の削減と構造の簡素化が図れる。
【００３６】
図５は本発明の他の実施形態にかかる回転式電子部品（以下この実施形態では「揺動式電子部品」という）１−２の取付構造の分解斜視図、図６はその側断面図である。両図に示す揺動式電子部品１−２の取付構造において、前記実施形態にかかる揺動式電子部品１の取付構造と同一又は相当部分には同一符号を付す。なお以下で説明する事項以外の事項については、第一実施形態と同じである。同図に示す揺動式電子部品１−２の取付構造において、前記揺動式電子部品１の取付構造と相違する概要は、固定部材１５０を省略してその代りに基台８０の圧接接続部８５の両側辺に二本ずつ下方向（回路基板１４０方向）を向く係止爪９０を基台８０と一体に成形によって設けた点と、圧接接続部８５の下面に載置するフレキシブル回路基板１１の端子パターン部１５を熱カシメによって予め圧接接続部８５に固定した点である。
【００３７】
ここで各係止爪９０は柱状であって弾性を有する厚みを有し、前記回路基板１４０の各係合部１４７と取付台１２０の各係合部１２７とに挿入される位置に設けられており、その先端には爪部９１が設けられている。一方図６に示すように、圧接接続部８５の下面の所定位置には回路基板１４０側に向かって突出する小突起部８５１が設けられ、この小突起８５１をこれに対向する位置に設けたフレキシブル回路基板１１の端子パターン部１５の小孔１５１に挿入し、その先端を熱カシメによって固定している。また小突起８５１の熱カシメした先端は端子パターン部１５の表面から少し突出するので、その突出部分を収納するために回路基板１４０のこれに対向する位置に貫通孔１４８を設け、さらに取付台１２０の表面のこれに対向する位置に収納凹部１２９を設けている。
【００３８】
以上のように揺動式電子部品１−２の取付構造を構成すれば、圧接接続部８５自体に係止爪９０を設けて圧接接続部８５と取付台１２０間を挟持したので、前記揺動式電子部品１の取付構造に用いた固定部材１５０を省略でき、部品点数の削減が図れるばかりか、その取付作業もさらに容易になる。また予め圧接接続部８５の下面にフレキシブル回路基板１１の端子パターン部１５を固定したので、組み立ての際にフレキシブル回路基板１１を折り曲げながら回路基板１４０上に載置しなくても良くなり、その組み立て作業がさらに容易になる。
【００３９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば回路基板１４０の端子パターン１４１とフレキシブル回路基板１１の端子パターン１９間の圧接接続は、弾発手段１３０を用いて行う代わりに、基台８０の圧接接続部８５自体に弾発部を設けてフレキシブル回路基板１１の上側からこれを弾発するように構成しても良いし、取付台１２０自体に弾発部を設けて回路基板１４０をその下側から弾発するように構成しても良い。また上記実施形態では回路基板１４０はフレキシブル回路基板によって構成されているが、硬質回路基板で構成してもよい。また上記実施形態では基台８０に取り付ける電子部品として揺動式電子部品（回転式電子部品）１，１−２を用いたが、基台８０に取り付けることができる電子部品であれば、他の構造の回転式電子部品等、他の各種電子部品であっても良い。また上記揺動式電子部品１では、固定部材１５０によって基台８０の圧接接続部８５を回路基板１４０と端子パターン部１５とを挟持した状態で取付台１２０に固定したが、固定部材１５０の代りにねじ等の他の固定手段によって固定しても良い。また上記実施形態では、基台８０を電子部品取付部８１と電子部品取付部８１から屈曲して揺動式電子部品１から離れる位置に伸びる圧接接続部８５とを一体成形することで構成したが、必ずしも屈曲させる必要はなく、要は基台８０を電子部品取付部８１と電子部品取付部８１から延伸して揺動式電子部品１から離れる位置に伸びる圧接接続部８５とを一体成形する構成とするものであればよい。
【図面の簡単な説明】
【００４０】
【図１】揺動式電子部品１の取付構造の側断面図である。
【図２】揺動式電子部品１の取付構造の分解斜視図である。
【図３】基台８０とフレキシブル回路基板１１とを示す斜視図である。
【図４】揺動式電子部品１の動作説明図（但し押え部材７９の記載は省略）である。
【図５】揺動式電子部品１−２の取付構造の分解斜視図である。
【図６】回転式電子部品１−２の取付構造の側断面図である。
【図７】従来の回転式電子部品（揺動式電子部品）１８０を示す図である。
【符号の説明】
【００４１】
１  揺動式電子部品（回転式電子部品、電子部品）
１１  フレキシブル回路基板
１３  機能パターン部
１５  端子パターン部
１７  摺接パターン
１９  端子パターン
５０  回転体
５１  回転部材（回転体）
６７  摺動子（回転体）
７３  ねじりコイルバネ（弾発手段）
７５  コイル部
７７  引出部
７９  押え部材
８０  基台
８１  電子部品取付部
８４ａ  係止部
８５  圧接接続部
１２０  取付台
１３０  弾発手段
１４０  回路基板
１４１  端子パターン
１５０  固定部材
１−２  揺動式電子部品（回転式電子部品、電子部品）
【図１】
2006179788.tif 000003
【図２】
2006179788.tif 000004
【図３】
2006179788.tif 000005
【図４】
2006179788.tif 000006
【図５】
2006179788.tif 000007
【図６】
2006179788.tif 000008
【図７】
2006179788.tif 000009